(57)【特許請求の範囲】
【請求項１】
荷重を支える支持基材層と、
前記支持基材層の上に積層され、弾性変形可能なクッション層と、
前記クッション層の上に積層され、耐水性を有する可撓層と、
前記可撓層の一部を露出させつつ前記可撓層の上に設けられ、前記可撓層よりも硬い材料からなる表面材と、
を備えたことを特徴とする浴室用洗い場床。
【請求項２】
荷重を支える支持基材層と、
前記支持基材層の上に設けられ、弾性変形可能なクッション層と、
前記クッション層の上に設けられ、間隙部を形成する表面材と、
前記表面材の前記間隙部に露出し、前記クッション層を被覆するように設けられ、耐水性と前記表面材よりも高い可撓性とを有する可撓層と、
を備えたことを特徴とする浴室用洗い場床。
【請求項３】
前記表面材は、前記表面材の上に荷重が加わった際に、荷重が加わった部分が局所的に変形しない程度の硬さを有していることを特徴とする請求項１または２に記載の浴室用洗い場床。
【請求項４】
前記表面材の間に露出する前記可撓層の幅は、微小であることを特徴とする請求項１〜３のいずれか１つに記載の浴室用洗い場床。
【請求項５】
前記表面材は、前記浴室用洗い場床の略全体に渡って格子状の間隙部を形成し、
前記可撓層は、前記格子状の間隙部において露出していることを特徴とする請求項１〜４のいずれか１つに記載の浴室用洗い場床。
【請求項６】
前記表面材は、ＦＲＰにより形成されていることを特徴とする請求項１〜５のいずれか１つに記載の浴室用洗い場床。
【請求項７】
前記表面材の上に荷重が加わると、前記荷重が加わった領域は、前記可撓層の前記露出した部分を鉛直下方への最大変位部として撓み、前記最大変位部の周辺の前記表面材は前記最大変位部に向かって下向き傾斜することを特徴とする請求項１〜６のいずれか１つに記載の浴室用洗い場床。
【請求項８】
前記可撓層に対する水の接触角は、前記表面材に対する水の接触角よりも小さいことを特徴とする請求項１〜７のいずれか１つに記載の浴室用洗い場床。
【発明の詳細な説明】
【技術分野】
【０００１】
本発明は、浴室用洗い場床に関する。
【背景技術】
【０００２】
従来より、浴室の洗い場床にクッション性を付与する構造が提案されている。例えば、特許文献１には、ＦＲＰ等の樹脂材料からなる基材に対して、発泡層と、熱可塑性エラストマーからなる軟質材とを順に積層し一体化した浴室洗い場床が開示されている。
【特許文献１】特開２００１−２４５８１４号公報
【発明の開示】
【発明が解決しようとする課題】
【０００３】
洗い場床に単純にやわらかさを付与するためには、表面の材料を十分弾性のある柔らかい組成のもので構成させるのが簡単ではあるが、あまり柔らかなものを用いると、摩耗、傷や穴が空く等の損傷、へたりなど、洗い場床表面に求められる耐久性が不足することが懸念される。
【０００４】
すなわち、やわらかさを付与しつつ、浴室の洗い場床として要求される耐久性を損なわないためには、床に柔らかさを与える機能を有するクッション層と、その上に設けられる耐久性の高い表面材とを積層させた構造にする必要がある。
【０００５】
しかし、通常、洗い場床表面に要求される耐久性を具備する材料は、比較的強度が高く、硬質であり、そのような硬質材をクッション層の上に設けると、クッション層で得ようとしている床の柔らかさ感を享受しにくくなる。つまり、人が足で踏むなどして鉛直方向の荷重がかかった場合、硬質な表面材の張りが強く、床面全体で荷重を平均的に受け止めてしまい、踏んだところの近辺のみが沈み込むような柔らかい感覚を得にくい。
【０００６】
本発明は上述の問題に鑑みてなされ、洗い場床としての表面耐久性を具備しつつ使用者に柔らかさを感じさせることのできる浴室用洗い場床を提供する。
【課題を解決するための手段】
【０００７】
本発明の一態様によれば、荷重を支える支持基材層と、前記支持基材層の上に積層され、弾性変形可能なクッション層と、前記クッション層の上に積層され、耐水性を有する可撓層と、前記可撓層の一部を露出させつつ前記可撓層の上に設けられ、前記可撓層よりも硬い材料からなる表面材と、を備えたことを特徴とする浴室用洗い場床が提供される。
【０００８】
本発明の別の一態様によれば、荷重を支える支持基材層と、前記支持基材層の上に設けられ、弾性変形可能なクッション層と、前記クッション層の上に設けられ、間隙部を形成する表面材と、前記表面材の前記間隙部に露出し、前記クッション層を被覆するように設けられ、耐水性と前記表面材よりも高い可撓性とを有する可撓層と、を備えたことを特徴とする浴室用洗い場床が提供される。
【発明の効果】
【０００９】
本発明によれば、洗い場床としての表面耐久性を具備しつつ使用者に柔らかさを感じさせることのできる浴室用洗い場床が提供される。
【発明を実施するための最良の形態】
【００１０】
浴室の洗い場床に柔らかさを付与するために、弾性変形可能なクッション性を有する材料で洗い場床を構成することが考えられるが、クッション性を有する例えば発泡体は耐水性、耐薬品性、耐衝撃性など、洗い場床として求められる基本性能に優れず、クッション性を有する材料だけで構成した洗い場床は商品として提供しにくい。また、クッション性を有する材料としては発泡体以外にもゴム材があるが、ゴム材はゴム臭がするため、そのような材料を気密性の高い浴室内に、洗い場床という比較的広い面積に渡って用いるのは好ましくない。
【００１１】
したがって、発泡体を洗い場床におけるクッション層として設けた場合、浴室内側に露出する表面には、耐水性、耐薬品性、耐摩耗性、耐衝撃性など、ユニットバスとして要求される基本性能（耐久性）を満足する材料の表面材が別途必要になる。
【００１２】
前述したような特性を満足するクッション層や表面材は荷重を支えるのに十分な強度を確保しにくく、これらの層とは別に、荷重を支えるための強度がクッション層や表面材よりも大きな基材層が必要となる。すなわち、洗い場床に柔らかさを付与しつつ、洗い場床として求められる最低限の基本性能を確保するためには少なくとも基材層、クッション層、表面材を組み合わせた構造にすることが望ましい。
【００１３】
以下、図面を参照し、本発明の実施形態について説明する。  
（第１の実施の形態）
図１は、本発明の第１の実施形態に係る浴室用洗い場床の要部構造を例示する拡大断面図である。  
図２は、本発明の第１の実施形態に係る浴室用洗い場床の構造を例示する模式断面図である。  
図３は、本発明の第１の実施形態に係る浴室用洗い場床の要部構造を例示する拡大斜視図である。  
なお、本願明細書と図２以降の各図において、既出の図に関して前述したものと同様の要素には同一の符号を付して詳細な説明は適宜省略する。
【００１４】
図１に表したように、本発明の第１の実施形態に係る浴室用洗い場床１１０は、荷重を支える支持基材層１と、支持基材層１の上に積層され、弾性変形可能なクッション層４と、クッション層４の上に積層され、耐水性を有する可撓層２０と、可撓層２０の上に設けられ、可撓層２０の一部を露出させつつ可撓層２０の上に設けられ、可撓層２０よりも硬い材料からなる表面材５と、を備える。  
なお、上記のように、可撓層２０は耐水性を有するが、可撓層２０の耐水性は、クッション層４の耐水性より高い。ただし、クッション層４は、必ずしも耐水性を有していなくても良い。すなわち、クッション層４が耐水性が無い場合も含めて、可撓層２０は、クッション層４よりも高い耐水性を有する。
【００１５】
そして、図２に表したように、本実施形態に係る浴室用洗い場床１１０においては、支持基材層（以下、単に基材層とする）１は、浴室外に湯水を漏出させない防水性、及び浴室壁パネル５０、天井パネル、風呂椅子、洗面器などの静荷重、使用者の動荷重を受けても撓んだり破損しない十分な強度を有する硬質材料から形成されている。例えば、ＦＲＰ（Fiber Reinforced Plastic）等の熱硬化性樹脂、あるいはポリプロピレン、ポリエチレン等の熱可塑性樹脂に補強を施したものから形成されている。
【００１６】
基材層１には、縦断面視で凹状に形成される凹部２が設けられている。凹部２は基材層１の上面視における大部分の面積を占め、凹部２より外方側には凹部２の上面（底面）よりも一段高くされた縁部６が設けられている。縁部６よりも外方側であって基材層１の最外縁部には、上方に立ち上がった水返し壁として機能する側壁部８が設けられている。  
基材層１は、硬質材（例えばＦＲＰ）を熱間成型することにより一体成形され、よって、凹部２、縁部６及び側壁部８は一体に形成される。
【００１７】
クッション層４は、基材層１の凹部２に全体が収容され、凹部２の上面（底面）に例えば両面テープ等の接着剤により接着固定される。クッション層４は、弾性変形可能であり、例えばウレタン等の発泡体からなる。なお、クッション層４は弾性変形可能なゴム材であっても構わないが、ゴム臭のない発泡体の方が気密性の高い浴室の洗い場床として利用するには好ましい。
【００１８】
表面材５は、耐水性、耐薬品性、耐摩耗性、耐衝撃性など、洗い場床表面に要求される基本性能（耐久性）を満足するべく比較的硬質で強靱な材料から形成されている。そのような表面材５の材料としては、ＦＲＰ、ＰＶＣ（塩化ビニル）、ポリプロピレン、ポリエチレン、ウレタン樹脂、ポリエステル樹脂、アクリル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが一例として挙げられる。これら材料は一例であって、その他、表面材５の材料としては、浴室の一般的な使用に際し十分な耐久性を有するべく強靱な材料であれば良く、前述したものに限られない。  
そして、表面材５は、表面材５の上に荷重が加わった際に、荷重が加わった部分が局所的に変形しない程度の硬さを有することができる、なお、特に、洗い場床材に要求される基本性能発揮に実績のあるＦＲＰを表面材５に用いることで、信頼性の高い製品を提供することができる。
【００１９】
可撓層２０には、耐水性、耐薬品性、耐摩耗性、耐衝撃性など、洗い場床表面に要求される基本性能（耐久性）を満足し、可撓性を有する材料を用いることができる。そのような可撓層２０の材料としては、ＦＲＰ、ＰＶＣ（塩化ビニル）、ポリプロピレン、ポリエチレン、ウレタン樹脂、ポリエステル樹脂、スチレン・ポリエステル・オレフィン・アクリル系の各種エラストマー、ＥＶＡ、ＥＰＤＭ、シリコンゴムなどのゴム系、あるいはこれらを調整したもの、あるいはこれらをベースに充填材や強化材を加えた複合材料などが一例として挙げられる。また、例えば、上記の表面材５に用いられる材料と同様の材料系、可撓性を有するように成分を調整した材料を用いても良い。
【００２０】
そして、図２、３に示すように、表面材５は、互いに間隔を空けて複数配置され、その間隙部１２では、可撓層２０が露出している。
【００２１】
間隙部１２の幅は、狭く設けられている。すなわち、間隙部１２を平面視した場合の幅は、表面材５を平面視したときの長さより狭く、表面材５を平面視したときの幅より狭い。  
したがって、表面材５の間から露出する可撓層２０の幅は狭い。すなわち、平面視した場合、可撓層２０の露出されている部分の幅は、表面材５の長さより狭く、表面材５の幅より狭い。
【００２２】
なお、表面材５はクッション層４より薄い。  
また、表面材５及び可撓層２０が設けられる領域は、基材層１全体の平面サイズより小さく（縦横ともに短く）且つ凹部２の平面サイズより大きい（縦横ともに長い）領域とすることができる。
【００２３】
これら基材層１、クッション層４、可撓層２０及び表面材５の積層構造を得るにあたっては、それらを一体に熱間成型することにより相互に溶着固定させても良いし（インサート及びラミネート成形）、基材層１の成型加工後に、その凹部２の上面（底面）に対してクッション層４を例えば両面テープ等の接着剤を用いて貼り付け、さらにそのクッション層４の表面に、例えば両面テープ等の接着剤を用いて、可撓層２０及び表面材５を貼り付けても良い。さらに、例えば、基材層１の成型加工後に、可撓層２０及び表面材５を貼り合わせたものにクッション層４を貼り合わせ、それを、基材層１の上面に、例えば両面テープ等の接着剤を用いて貼り付けることによっても得られる。
【００２４】
基材層１の凹部２より外方側に配置される、可撓層２０及び表面材５が設けられる領域の周縁部は、例えばシリコンや目地部材等のシーリング材１１で水密的にシールされ、表面材５及び可撓層２０と、基材層１と、の間への水の浸入を防止することができる。
【００２５】
表面材５の周縁部より外方側における基材層１の縁部６の上面には、浴室壁パネル５０が載置されている。シーリング材１１は、表面材５及び可撓層２０の周縁部と基材層１との間、及び浴室壁パネル５０と基材層１との間を兼用して水密的にシールする。
【００２６】
そして、クッション層４の表面側に表面材５を積層したこの構造においては、使用者は表面材５に触れることになるが、その使用者にクッション層４の機能（柔らかさ）を感じさせるようにするため、表面材５の下に設けられた可撓層２０には、クッション層４の変形に追従可能な可撓性が求められる。
【００２７】
上記のように、本実施形態に係る浴室用洗い場床１１０においては、クッション層４の上に、表面材５を複数、間を空けて設けることによって、クッション層４の変形に表面材５の位置を追従させている。そして、表面材５の間に露出したクッション層４を、可撓層２０で被覆することで、クッション層４を保護することができ、洗い場床としての表面耐久性を具備しつつ使用者に柔らかさを感じさせることのできる浴室用洗い場床が提供できる。
【００２８】
（第１、第２の比較例）
図４は、第１の比較例に係る浴室用洗い場床の要部拡大模式断面図である。  
図５は、第２の比較例に係る浴室用洗い場床の要部拡大模式断面図である。  
図４に表したように、第１の比較例の浴室用洗い場床２０１は、支持基材層１と、クッション層４と、その上に設けられた平面シート状の硬質材からなる表面層１５を有している。なお、クッション層４の全体が表面層１５で覆われているため、クッション層４を保護する可撓層は設けられていない。本比較例では、表面層１５の張りが強く、床面全体で荷重を平均的に受け止めてしまい、踏んだところの近辺のみが沈み込むような柔らかい感覚を得にくい傾向にある
また、図５に表したように、第２の比較例の浴室用洗い場床２０２では、支持基材層１と、クッション層４と、その上に設けられた平面シート状のエラストマー等の柔軟材からなる表面層２５を有している。そして、この場合も、クッション層４の全体が表面層２５で覆われているため、クッション層４を保護する可撓層は設けられていない。本比較例のように、表面層２５に柔らかさを求めて、例えば特許文献１のように柔らかなエラストマーを用いると、前述したように、摩耗、傷や穴が空くなどの耐久性に劣る問題がある。さらに、図５に表すように、表面層２５にエラストマーやゴム等の柔らかい材料を用いると、例えば風呂椅子やシャンプーラックの脚等の局所荷重（ピンスポット荷重）がかかった際の変形が過大となり、局所的な「つぶれ」や「へたり」などが発生する問題も懸念される。
【００２９】
これに対して本実施形態に係る浴室用洗い場床１１０では、クッション層４の上に、表面材５を複数、間を空けて設けることによって、クッション層４の変形に表面材５の位置を追従させている。これにより、柔らかさを感じさせることができる。そして、浴室用洗い場床１１０の表面は、硬く耐久性のある表面材５、または、その間の耐水性を有する可撓層２０、によって覆われているので、洗い場床としての表面耐久性を実現できる。
【００３０】
図６は、本発明の第１の実施形態に係る浴室用洗い場床の変形状態を例示する模式断面図である。  
図７は、本発明の第１の実施形態に係る浴室用洗い場床の変形状態を例示する要部の拡大模式断面図である。  
図８は、本発明の第１の実施形態に係る浴室用洗い場床の変形状態を例示する模式斜視図である。  
すなわち、これらの図は、人の足で踏まれるなどによって、本実施形態に係る洗い場床１１０に荷重が加わり、クッション層４、可撓層２０及び表面材５が撓んだ状態を示している。
【００３１】
図６〜図８に表したように、浴室用洗い場床１１０では、表面材５に荷重が加わると、間隙部１２及びその部分の下の可撓層２０が節となって断面凹状に撓む。すなわち、表面材５において荷重が加わった部分は、表面材５の間の間隙部１２を鉛直下方への最大変位点３０として撓み（沈み込み）、最大変位点３０の周辺の表面材５ａは、最大変位点３０に向かって下向き傾斜する。  
このとき、図７（ａ）に表したように、表面材５の間の間隙部１２の内の１つの部分を鉛直方向の最大変位点３０とすることもあり、また、加重の状況によっては、図７（ｂ）に表したように、表面材５の間の間隙部１２の内の複数の部分を、鉛直方向の実質的な最大変位点３０とすることもある。
【００３２】
このように、本実施形態に係る浴室用洗い場床１１０においては、表面材５が複数設けられ、表面材５の間の間隙部１２を節として撓むことができ、踏まれたところを中心にしなやかに撓み、その近辺のみが沈み込むような柔らかい感覚を得ることができる。
【００３３】
表面材５（すなわち表面材５の間の間隙部１２）は、浴室用洗い場床１１０の全体に渡って実質的に格子状に形成されている。このため、表面材５の間の間隙部１２により形成される変形の節は、面上縦横に偏在することなく分散配置され、床面上のどの部分に荷重がかかっても、変形の方向に指向性が生ずることなく、踏んだところを面上全方位的に違和感なくくぼませることができる。
【００３４】
以上説明したように本実施形態に係る浴室用洗い場床１１０によれば、浴室の洗い場床に求められる耐久性、堅牢性、耐水性、耐薬品性などのさまざまな性能を十分具備しつつ、踏んだり膝をついたりした際にはその部分がしなやかに撓み、使用者に柔らかい感触を与えることができる。
【００３５】
この結果、使用者が膝をついても痛くない柔らかな感触が得られる。また、床が足になじみ、濡れた足でも滑りにくくできる。さらに、例えば洗面器を床に落としても音が響かない。さらに、使用者が冷たさを感じにくい。
【００３６】
さらに、表面材５の下に設けられた可撓層２０によって、浴室用洗い場床１１０に荷重がかかった部分を中心としたその周辺のみがしなやかに撓み、変位が全体におよびにくい。したがって、シーリング材１１によってシールされた表面材５の周縁部が引っ張られたり浮き上がったりするのを抑えてシール切れを防止することができる。
【００３７】
また、表面材５は、荷重が加わった部分が局所的に変形しない程度の厚みを有することでピンスポット荷重に対する強度を確保している。すなわち、風呂椅子やシャンプーラックなどの脚などによって加えられるピンスポット荷重に対しては、表面材５で荷重を受け持ち、表面材５はそのピンスポット荷重に対する十分な強度を有し局所的な変形をしないため、部分的なつぶれやへたりなどを発生させにくくできる。
【００３８】
例えば、クッション層４を発泡体、表面材５をＦＲＰで形成し、表面材５の厚みを３ｍｍ〜５ｍｍ、島状の１つの表面材５の１辺の長さを２０ｍｍ以下、表面材５の間の間隙部１２の幅を３ｍｍ以内とした場合に、ピンスポット荷重に対する十分な強度を確保しつつ、踏んだところの周辺のみが効果的に沈み込むような柔らかさ感を付与することができることが確認できた。
【００３９】
また、浴室用洗い場床１１０においては、表面材５の間の間隙部１２の幅は、狭く設けられている。このため、浴室用洗い場床１１０の表面において、間隙部１２よりも表面材５の面積が大きく、間隙部１２及びその部分の可撓層２０には、使用者の荷重や外部からの衝撃が直接作用しにくく、浴室用洗い場床１１０自身の面強度を大きくできる。また、間隙部１２よりも表面材５の表面の方が上方に配置されるため、使用者の荷重や外部からの衝撃が、直接、間隙部１２の可撓層２０に作用し難く、浴室用洗い場床１１０自身の面強度を大きくできる。
【００４０】
なお、本実施形態に係る浴室用洗い場床１１０では、図３に表したように、使用者に触れることになる表面材５の表面に、例えば波形の凹凸が形成されており、滑り止めが図られている。なお、図６〜８を参照して前述したように、最大変位点３０周辺の表面材５が最大変位点３０に向かって下向き傾斜するので、足裏の一部が沈み込むように床面と接触し、このことも滑りにくくする。
【００４１】
なお、本実施形態に係る浴室用洗い場床１１０において、表面材５に対する水の接触角は、可撓層２０に対する水の接触角より大きく設定することができる。すなわち、表面材５の表面自由エネルギーは、可撓層２０の表面自由エネルギーより小さく設定することができ、表面材５の水に対する濡れ性は、可撓層２０の水に対する濡れ性より小さい。  
これにより、表面材５は、可撓層２０よりも水を弾き易くなり、表面材５の上に水が付着した際に、その水は表面材５の上から、可撓層２０の部分、すなわち、表面材５の間の間隙部１２に容易に移動し、間隙部１２を通って短時間の間に排水される。これにより、浴室用洗い場床１１０は、浴室の使用によって表面が濡れた場合も、短時間で乾燥することができる。また、表面材５に対する水の接触角を大きくする、すなわち、水を弾き易くすることで、表面材５の表面に汚れが付着し難くなる。
【００４２】
なお、本実施形態において、表面材５は必ずしも、完全に独立した島状に設けなくても良い。  
図９（ａ）、（ｂ）は、本発明の第１の実施形態に係る別の浴室用洗い場床の要部構造を例示する、それぞれ拡大斜視図及び拡大平面図である。  
図９に表したように、本発明の第１の実施形態に係る別の浴室用洗い場床１１１では、隣接する表面材５同士が、表面材５の間に設けられた連結部５１によって、一部の狭い領域で繋がっている例である。連結部５１は、例えば、表面材５の厚み（高さ）の半分程度以下の高さを有し、また、その幅は狭く、変形が可能とされている。そして、この連結部５１以外は、浴室用洗い場床１１０と同様の構成を有している。これにより、間隙部１２で浴室用洗い場床１１１が撓むことを実質的に阻害しない構造とされている。
【００４３】
この場合も、浴室用洗い場床１１１は、洗い場床としての表面耐久性を具備しつつ使用者に柔らかさを感じさせることのできる浴室用洗い場床を提供することができる。このように、表面材５は必ずしも、完全に独立した島状に設けなくても良い。  
なお、上記のように、表面材５同士が、連結部５１によって一部の狭い領域によって繋がっていると、製造工程において、例えば、表面材５をハンドリングする際や、表面材５を可撓層２０やクッション層４と接合する際に、表面材５がばらばらにならないので、製造がし易くなるという利点がある。
【００４４】
図１０は、本発明の第１の実施形態に係る別の浴室用洗い場床の要部構造を例示する拡大斜視図である。  
図１０に表したように、本発明の第１の実施形態に係る別の浴室用洗い場床１１２では、表面材５の配列が、隣接する表面材５の配置と、１／２ピッチずれたレンガ積み状の配置となっている。そして、表面材５の間の間隙部１２はジグザグ状の形状を有している。そして、この表面材５の配置以外は、浴室用洗い場床１１０と類似の構成を有している。  このような浴室用洗い場床１１２も、洗い場床としての表面耐久性を具備しつつ使用者に柔らかさを感じさせることのできる浴室用洗い場床を提供することができる。  
このように、表面材５は必ずしも、直交する格子状に配置される必要はなく、隣接する表面材５との間で配置の位相がずれた配置を有していても良い。さらには、表面材５は、浴室用洗い場床の二次元方向に渡って間隙部１２が設けられるように配置されれば良く、その配置の規則性は任意である。
【００４５】
（第２の実施の形態）
図１１は、本発明の第２の実施形態に係る浴室用洗い場床の要部構造を例示する拡大断面図である。  
図１１に表したように、本発明の第２の実施形態に係る浴室用洗い場床１２０は、荷重を支える支持基材層１と、支持基材層１の上に設けられ、弾性変形可能なクッション層４と、クッション層４の上に設けられ、耐久性を有する複数の表面材５と、複数の表面材５の間の間隙部１２に、クッション層４を被覆するように設けられ、可撓性と耐水性を有する可撓層２１と、を備えている。  
なお、上記のように、可撓層２０は耐水性を有するが、可撓層２０の耐水性は、クッション層４の耐水性より高い。ただし、クッション層４は、必ずしも耐水性を有していなくても良い。
【００４６】
また、可撓層２１の可撓性を有するが、可撓層２０の可撓性は、表面材５の可撓性より高い。ただし、表面材５は、必ずしも可撓性を有していなくても良い。
【００４７】
すなわち、クッション層４が耐水性がない場合、及び、表面材５が可撓性がない場合も含めて、可撓層２０は、クッション層４よりも高い耐水性と表面材５よりも高い可撓性とを有する。
【００４８】
すなわち、第１の実施形態に係る浴室用洗い場床１１０では、可撓層２０が、クッション層４の上の広い領域（全面）に渡って積層されていたが、第２の実施形態に係る浴室用洗い場床１２０では、可撓層２１は、表面材５の間の間隙部１２（及びその周辺）にのみ設けられている。そして、この例では、可撓層２１は、間隙部１２の近傍のクッション層４と表面材５の間、及び、表面材５の間のクッション層４の上に設けられている。
【００４９】
このような構成の浴室用洗い場床１２０も、洗い場床としての表面耐久性を具備しつつ使用者に柔らかさを感じさせることのできる浴室用洗い場床を提供することができる。
【００５０】
（第３の実施の形態）
図１２は、本発明の第３の実施形態に係る浴室用洗い場床の要部構造を例示する拡大断面図である。  
図１２に表したように、本発明の第３の実施形態に係る浴室用洗い場床１３０は、荷重を支える支持基材層１と、支持基材層１の上に設けられ、弾性変形可能なクッション層４と、クッション層４の上方に設けられ、耐久性を有する複数の表面材５と、複数の表面材５の間の間隙部１２に、クッション層４を被覆するように設けられ、可撓性と耐水性を有する可撓層２２と、を備えている。  
すなわち、第２の実施形態と同様に、クッション層４が耐水性がない場合、及び、表面材５が可撓性がない場合も含めて、可撓層２０は、クッション層４よりも高い耐水性と表面材５よりも高い可撓性を有する。
【００５１】
そして、可撓層２２は、表面材５の間の間隙部１２（及びその周辺）のクッション層４の上に設けられている。そして、可撓層２２は、表面材５に接して設けられており、クッション層４を被覆しているので、クッション層４を保護することができる。
【００５２】
このような構成の浴室用洗い場床１３０も、洗い場床としての表面耐久性を具備しつつ使用者に柔らかさを感じさせることのできる浴室用洗い場床を提供することができる。
【００５３】
このように、可撓層は、表面材５の間のクッション層４を被覆するように設ければ良く、その形成状態は任意である。
【図面の簡単な説明】
【００５４】
【図１】本発明の第１の実施形態に係る浴室用洗い場床の要部構造を例示する拡大断面図である。
【図２】本発明の第１の実施形態に係る浴室用洗い場床の構造を例示する模式断面図である。
【図３】本発明の第１の実施形態に係る浴室用洗い場床の要部構造を例示する拡大斜視図である。
【図４】第１の比較例に係る浴室用洗い場床の要部拡大模式断面図である。
【図５】第２の比較例に係る浴室用洗い場床の要部拡大模式断面図である。
【図６】本発明の第１の実施形態に係る浴室用洗い場床の変形状態を例示する模式断面図である。
【図７】本発明の第１の実施形態に係る浴室用洗い場床の変形状態を例示する要部の拡大模式断面図である。
【図８】本発明の第１の実施形態に係る浴室用洗い場床の変形状態を例示する模式斜視図である。
【図９】（ａ）、（ｂ）は、本発明の第１の実施形態に係る別の浴室用洗い場床の要部構造を例示する、それぞれ拡大斜視図及び拡大平面図である。
【図１０】本発明の第１の実施形態に係る別の浴室用洗い場床の要部構造を例示する拡大斜視図である。
【図１１】本発明の第２の実施形態に係る浴室用洗い場床の要部構造を例示する拡大断面図である。
【図１２】本発明の第３の実施形態に係る浴室用洗い場床の要部構造を例示する拡大断面図である。
【符号の説明】
【００５５】
１…支持基材層（基材層）、  ２…凹部、  ４…クッション層、  ５、５ａ…表面材、  ６…縁部、  ８…側壁部、  １１…シーリング材、  １２…間隙部、  １５、２５…表面層、  ２０、２１、２２…可撓層、  ３０…最大変位点、  ５０…浴室壁パネル、  ５１…連結部、  １１０、１１１、１１２、１２０、１３０、２０１、２０２…浴室用洗い場床
【図１】
0005088560.tif 000002
【図２】
0005088560.tif 000003
【図３】
0005088560.tif 000004
【図４】
0005088560.tif 000005
【図５】
0005088560.tif 000006
【図６】
0005088560.tif 000007
【図７】
0005088560.tif 000008
【図８】
0005088560.tif 000009
【図９】
0005088560.tif 000010
【図１０】
0005088560.tif 000011
【図１１】
0005088560.tif 000012
【図１２】
0005088560.tif 000013